(57)【要約】      （修正有）【課題】複数のボトルをセットして一つの梱包とし、セット販売するためのボトルホルダーであって、簡単な構造によってボトルを確実に保持することができ、また店頭における展示効果にも優れたボトルホルダーを提供する。【解決手段】整列させた複数本のボトル２の首部を通して引掛ける係止孔を備えた保持プレート４を有し、該保持プレートの後端から起立する、手持孔８を有する提げ手片７と、該提げ手片の上端に連続し、下方に折り返された後板９と、該後板下端に連続した底板１０とを備えてなることを特徴とするボトルホルダー１である。【選択図】図１
2010254349.tif 000002
【特許請求の範囲】
【請求項１】
整列させた複数本のボトルの首部を通して引掛ける係止孔を備えた保持プレートを有し、該保持プレートの後端から起立する、手持孔を有する提げ手片と、該提げ手片の上端に連続し、下方に折り返された後板と、該後板下端に連続した底板とを備えてなることを特徴とするボトルホルダー。
【請求項２】
前記底板に連続しボトル前面に位置する前面板と、該前面板と前記後板の左右側縁同士を連結する側壁板を有することを特徴とする請求項１に記載のボトルホルダー。
【請求項３】
前記係止孔には、ボトル首部に係止する係止片が係止孔の内方に向かって１以上設けられていることを特徴とする請求項１または２に記載のボトルホルダー。
【請求項４】
請求項１〜３のいずれか１項に記載のボトルホルダーにボトルをセットし、全体をシュリンク包装したことを特徴とする包装体。
【発明の詳細な説明】
【技術分野】
【０００１】
本発明は、複数の包装容器用ボトルをまとめて保持、収納するためのボトルホルダーとこれを用いた包装体に関する。
【背景技術】
【０００２】
プラスチックボトルやガラス瓶に入れて販売される物品は多岐にわたるが、複数のボトルを持ち運ぶ必要がある場合に、ばらばらでは取り扱い上不便なため、複数のボトルをとりまとめて集積するためのボトルホルダーが知られている（特許文献１、２、３参照）。これらは、主に店頭で顧客の利便のために提供されるものであるが、初めから複数本をまとめて販売するためのボトルホルダーも存在する（特許文献４参照）。
【０００３】
ボトルの内容物によっては、主に開封後の保存性の問題や保存スペースの問題から、小型の使い切りサイズのボトルが好まれる場合がある。しかし内容物によっては、１回分の使用量ではボトルが小さくて取り扱い上不便な場合がある。このような場合に、複数の小型ボトルを予め１単位にまとめて包装し、セット販売するための専用のボトルホルダーが必要となる。
【先行技術文献】
【特許文献】
【０００４】
【特許文献１】特公昭44-19570号公報
【特許文献２】特許第3251377号公報
【特許文献３】実開平7-22964号公報
【特許文献４】実開昭58-12166号公報
【発明の概要】
【発明が解決しようとする課題】
【０００５】
特許文献１に記載された瓶類の提手、および特許文献２に記載された容器保持ハンドルは、いずれも店頭で複数の瓶を購入する顧客の利便のために提供されるものであり、工場出荷段階からセットされることを前提としていないため、商品をアピールするための表示スペースが殆どなく、展示効果が十分ではない。また瓶をセットした場合に把手が突出しているため、瓶をセットした状態で箱詰め梱包することには困難が伴う。
【０００６】
特許文献３に記載されたボトル用の集積ホルダーは、前面板が存在するため、表示スペースは確保されているが、ボトルの保持方法がボトルの首部を頸部支持板によって支えるだけの構造であるため、ボトルがぶらぶらと動き、工場でセットして梱包するセット販売用としては、使用しにくいものである。
【０００７】
特許文献４に記載された瓶セットの包装材は、単にトレー状の包装材の上部から瓶を差込んだだけの構造であるため、瓶の抜き差しが容易すぎて、容器ごと傾けると瓶が落下する恐れがある。また瓶の個別の抜き差しが可能であるため、消費者が間違えて瓶を１本だけ抜き取って購入しようとする可能性もあり、やはりセット販売用には不都合である。
【０００８】
本発明の解決しようとする課題は、複数のボトルをセットして一つの梱包とし、セット販売するためのボトルホルダーであって、簡単な構造によってボトルを確実に保持することができ、また店頭における展示効果にも優れたボトルホルダーを提供するものである。
【課題を解決するための手段】
【０００９】
上記の課題を解決するための手段として、請求項１に記載の発明は、整列させた複数本のボトルの首部を通して引掛ける係止孔を備えた保持プレートを有し、該保持プレートの後端から起立する、手持孔を有する提げ手片と、該提げ手片の上端に連続し、下方に折り返された後板と、該後板下端に連続した底板とを備えてなることを特徴とするボトルホルダーである。
【００１０】
また、請求項２に記載の発明は、前記底板に連続しボトル前面に位置する前面板と、該前面板と前記後板の左右側縁同士を連結する側壁板を有することを特徴とする請求項１に記載のボトルホルダーである。
【００１１】
また、請求項３に記載の発明は、前記係止孔に、ボトル首部に係止する係止片が係止孔の内方に向かって１以上設けられていることを特徴とする請求項１または２に記載のボトルホルダーである。
【００１２】
また、請求項４に記載の発明は、請求項１〜３のいずれか１項に記載のボトルホルダーにボトルをセットし、全体をシュリンク包装したことを特徴とする包装体である。
【発明の効果】
【００１３】
本発明に係るボトルホルダーは、整列させた複数本のボトルの首部を通して引掛ける係止孔を備えた保持プレートを有し、該保持プレートの後端から起立する、手持孔を有する提げ手片と、該提げ手片の上端に連続し、下方に折り返された後板と、該後板下端に連続した底板とを備えているので、ボトルの首部は保持プレートの係止孔によって保持され、またボトルの背面は、後板により、またボトルの底面は底板によって保持されるため、ボトルの位置が確定し、全体をシュリンク包装することによって、しっかりと一定の形状を保持する一つの包装体となる。
【００１４】
本発明に係るボトルホルダーは、ボトルの前面のほとんどの部分が正面から見えるので、商品棚に陳列した場合の展示効果についても、問題はない。また、提げ手片や保持プレートの表面をアイキャッチ用のスペースとして利用できる。また後板の背面前面あるいは、ボトルを取り去ったあとの、後板の表面を商品の取り扱い方法の説明表示用のスペースとして利用することができる。
【００１５】
また、底板に連続しボトル前面に位置する前面板と、該前面板と前記後板の左右側縁同士を連結する側壁板を有するようにした場合には、ボトルの下部が前面板と側壁板とによって囲まれるように保持されるため、場合によってはシュリンク包装がなくても一定の形状を保持する一つの包装体となりうる。
【００１６】
またさらに、前記係止孔に、ボトル首部に係止する係止片が係止孔の内方に向かって１以上設けられている場合にあっては、係止孔に挿入したボトルの首部が抜け落ちるのを防止し、ボトルを保持プレートにセットした際に、ぐらぐらせずに確実に保持できる。また、簡単ないたずら防止効果をも有する。
【図面の簡単な説明】
【００１７】
【図１】図１は、本発明に係るボトルホルダーの一実施態様に、ボトルをセットした状態を示した斜視図である。
【図２】図２は、図１に示したボトルホルダーのブランクシートの平面図である。
【図３】図３は、図２に示したブランクシートをボトルホルダーとして組み立てた状態を示した斜視図である。
【図４】図４は、本発明に係るボトルホルダーの他の実施態様に、ボトルをセットした状態を示した斜視図である。
【図５】図５は、図４に示したボトルホルダーのブランクシートの平面図である。
【図６】図６は、図５に示したブランクシートをボトルホルダーとして組み立てた状態を示した斜視図である。
【発明を実施するための形態】
【００１８】
以下本発明に係るボトルホルダーの実施形態について、図面を参照しながら詳細に説明する。図１は、本発明に係るボトルホルダーの一実施態様に、ボトルをセットした状態を示した斜視図である。また図２は、図１に示したボトルホルダーのブランクシートの平面図である。本発明に係るボトルホルダー１は、整列させた複数本のボトル２の首部を通して引掛ける係止孔５を備えた保持プレート４を有し、保持プレート４の後端から起立する、手持孔８を有する提げ手片７と、提げ手片７の上端に連続し、下方に折り返された後板９と、後板９の下端に連続した底板１０とを備えてなるボトルホルダーである。
この実施態様においては、収納するボトル２の数は２本であり、ボトルホルダー１は、保持プレート４の前端に連続し下方に折り曲げられた前垂れ板１２と、底板１０に連続しボトル前面に位置する前面板１１を有しており、さらに２つの係止孔５には、ボトル首部に係止する係止片６が係止孔５の内方に向かって６個づつ設けられている。
【００１９】
図１では省略してあるが、図１の状態のもの全体をシュリンク包装して一つの包装体とする。そうすることにより、しっかりと一定の形状を保持する一つの包装体となる。その際、前面板１１、前垂れ板１２が存在することにより、包装体とする際の作業性と、最終の包装体の外観が向上する。また前面板１１や前垂れ板１２には、商品をアピールするために着色を施したり、画像や文字を表示することができる。
【００２０】
収納するボトル２の数は、２本以上である以外に特に制限はない。目的とするボトルの大きさや用途、内容物や価格等によって決定される。ボトルの材質についても特に制約はなく、プラスチックボトルでもガラス瓶でも良い。ただしガラス瓶の場合には、瓶と瓶とが直接触れないように、間に仕切りを入れるのが好ましい。
【００２１】
ボトルホルダー１の材質については、板紙が一般的であるが、用途によっては、段ボールやプラスチック板でも良い。板紙の表面あるいは裏面に印刷を施す場合には、コートボール紙のような、印刷効果の良い板紙を使用すると良い。
【００２２】
図２は、図１に示したボトルホルダーのブランクシートの平面図である。また図３は、図２に示したブランクシートをボトルホルダーとして組み立てた状態を示した斜視図である。図２によって明らかなように、本発明に係るボトルホルダーは、１枚のブランクシート３から組み立てることができる。図２に示した実施態様において、折り込み線のうち、保持プレート４と提げ手片７の間の折り込み線１８を谷折りする以外は、残りすべての折り込み線１５を山折りすることによって、図３に示したようなボトルホルダーが完成する。
【００２３】
提げ手片７に設けられた手持ち孔８は、提げ手片７と後板９に切り込み線１７によって形成されており、提げ手片７と後板９の間の折り込み線１５を１８０°折り込んだ際に重なって一致するようになっている。なお後板に設けられた手持ち孔８は、単純な孔であるが、提げ手片７に設けられた手持ち孔８は、切り込み線１７が一部途切れて、手持ち孔の
上部が繋がっており、この繋がった部分を後板の方向に折り込むことにより、手で持った時に、手持ち孔８の上部に紙の切断端面が露出して、手を痛めるのを防ぐ働きをしている。
【００２４】
この実施態様においては、保持プレート４に設けられた係止孔５に、ボトル首部に係止する係止片６が係止孔５の内方に向かって６つづつ設けられている。係止片６は、ボトル２の頭部を係止孔５に下から挿入した時に、上方に傾き、ボトル首部の凸部を通過した時点で首部の径が細くなっている部分でばねのように戻って、首部の上端面に引っ掛かってボトルが落下するのを防止する。係止片６は、大きな係止片が一つないしは二つでもよいし、この例のように片側に３つづつ、計６つでもよい。係止片の数は、任意である。ボトルの形状や大きさや重さによっては、係止片が無くても良い場合もある。
【００２５】
図４は、本発明に係るボトルホルダーの他の実施態様に、ボトルをセットした状態を示した斜視図である。また、図５は、図４に示したボトルホルダーのブランクシートの平面図である。また、図６は、図５に示したブランクシートをボトルホルダーとして組み立てた状態を示した斜視図である。この実施態様においては、ボトルホルダー１が、底板１０に連続しボトル２の前面に位置する前面板１１と、前面板１１と後板９の左右側縁同士を連結する側壁板１３を有することを特徴としている。
【００２６】
図５に示したブランクシート３を図６に示したボトルホルダー１に組み立てるためには、折り込み線１８を谷折りする以外は、残りすべての折り込み線１５を山折りすることによって組み立てることができる。
【００２７】
図５に示したブランクシートに見られるように、前面板１１の左右側縁には、糊代部１４が設けられており、折り込み線１５を山折りして後板９の左右側縁に設けた側壁板１３の裏面と糊代部１４の表面を接着することにより、簡単な函構造が出来上がる。このようにしたことにより、ボトル２をセットした時に、ボトル２の下部が底板１０から外れることもなく、所定の位置に納まる。このため、ボトルの大きさや重さ、形状によっては、ボトルホルダー１にボトル２をセットした後に、全体をシュリンク包装する必要がない場合もある。
【００２８】
なお底板１０と側壁板１３の中央部に設けられたミシン目折り込み線１６は、側壁板１３と前面板１１の糊代部１４とを接着して、函にした状態で、ボトルホルダー１をこのミシン目折り込み線１６で折り畳んで積み重ねて輸送することができるようにするために設けられたものである。
以下実施例に基づき、本発明に係るボトルホルダーについて、具体的に説明する。
【実施例１】
【００２９】
坪量４００ｇ／ｍ2の板紙の表面に必要な印刷を施した後、打ち抜いて、図２に示したようなブランクシートを作製した。折り込み線１８を谷折りし、折り込み線１５をすべて山折りすることにより、図３に示したようなボトルホルダーが完成した。このボトルホルダーに、プラスチックボトル入りのうがい薬を２本セットして、図１に示したような状態とし、次に全体をシュリンク包装して、包装体とした。なおプラスチックボトルの高さは、およそ１００ｍｍであり、幅はおよそ６０ｍｍ、厚さはおよそ２５ｍｍである。
【実施例２】
【００３０】
坪量４００ｇ／ｍ2の板紙の表面に必要な印刷を施した後、打ち抜いて、図５に示したようなブランクシートを作製した。折り込み線１８を谷折りし、折り込み線１５をすべて山折りし、糊代部１４を側壁板１３に接着することにより、図６に示したようなボトルホルダーが完成した。このボトルホルダーに、プラスチックボトル入りの機能性洗剤を２
本セットして、図１に示したような状態とし、次に全体をシュリンク包装して、包装体とした。なおプラスチックボトルの高さは、およそ２００ｍｍであり、幅はおよそ９０ｍｍ、厚さはおよそ４０ｍｍである。
【符号の説明】
【００３１】
１・・・ボトルホルダー
２・・・ボトル
３・・・ブランクシート
４・・・保持プレート
５・・・係止孔
６・・・係止片
７・・・提げ手片
８・・・手持ち孔
９・・・後板
１０・・・底板
１１・・・前面板
１２・・・前垂れ板
１３・・・側壁板
１４・・・糊代部
１５・・・折り込み線
１６・・・ミシン目折り込み線
１７・・・切り込み線
１８・・・折り込み線
【図１】
2010254349.tif 000003
【図２】
2010254349.tif 000004
【図３】
2010254349.tif 000005
【図４】
2010254349.tif 000006
【図５】
2010254349.tif 000007
【図６】
2010254349.tif 000008